(57)【要約】【課題】  脚部を地面の起伏に馴染み易くした脚立を提供する。【解決手段】  脚立1は、2つのはしご体10、20を、夫々の上端部で軸2の回りに回動可能に結合している。一方のはしご体20は、縦向きに延在する一対のガイド21が、その上部において連結版25を介して踏桟23と固定的に結合している。ガイド21は、夫々脚26上のレール35により長さ方向に摺動可能に案内している。脚26の上端には連結部材28が軸29を介して回転可能に結合され、かつ連結部材28はさらに軸30を介して回転可能に回動部材31に結合している。回動部材31は、さらに、連結部材28と回動可能に連結している。凸凹の地面に対して、左右の脚26が上下し、回動部材31、連結部材28、脚26の位置関係が、踏桟23に対して定まったときに、ロック部材33およびロック片34は、その相対的な位置関係をロックする。【選択図】      図1
2008266918.tif 000002
【特許請求の範囲】
【請求項１】
一対のはしご部の一端を連結した脚立において、少なくとも一方のはしご部は、一対のガイドと、該一対のガイド上端の間に固定的に渡された踏桟と、該一対のガイドによりその長さ方向に摺動可能に案内された一対の脚と、該踏桟に対して固定的に設けられた軸であって、該踏桟と一対のガイドがなす平面に垂直方向に伸びた軸と、該軸を支点として左右に延在する回動部材と、該回動部材の一端に該一対の脚の一方側の摺動を作用させる第1の手段と、該回動部材他の一端が該一対の脚の他方側の摺動を作用させる第２の手段と、該踏桟と該回動部材の相対的な変異をロックするロック機構とを有することを特徴とする脚立。
【請求項２】
請求項1において、前記ロック機構は、前記踏桟側に設けられた被ロック片と、前記回動部材側に設けられたレバーと、該レバーの動作に連動し回動部材の長さ方向に移動するロック片とを有することを特徴とする脚立。
【請求項３】
請求項1において、前記第1の手段は、第1の連結部材を有し、前記一方の脚と前記回動部材の一端とに夫々軸を介して回動自在に設けられており、前記第2の手段は、第2の連結部材を有し、前記他方の脚と前記回動部材の他端とに夫々軸を介して回動自在に設けられていることを特徴とする脚立。
【発明の詳細な説明】
【技術分野】
【０００１】
本発明は、脚部を地面の起伏に馴染み易くした脚立に関する。
【背景技術】
【０００２】
高い段差にも低い段差にも対応するように構成される汎用型の脚立は、重量が重くなりコストも高くなる。少量の作業で時間的にも余裕のある場合は、脚立にもはしごにもなる多用途型のものでも良いが、多量の作業があり時間的な制約がある場合には、単用途のものを多数揃えた方が、能率が上がる。作業現場には、用途別の道具が多いほど、能率が上がる。
【０００３】
脚立は、一対のはしご部を組み合わせて4つ足としたものが知られている。はしご部は、対向した一対の側辺棒部材と、これら一対の側辺棒部材の上端部間および途中位置間で結合する踏桟とを有している。
【０００４】
地面に定置させるには、3点で定置させれば安定することが知られている。しかし、脚立の場合には4つ足を持っているため、地面の起伏がある場合には、4つの足のうち3つが接地し、1つの足が接地しない状態になる。この場合、脚立上の加重の移動により、重心位置が接地している3つの足の接地点を頂点とする3角形の範囲から外れ、接地していない足に加重がかかると、脚立がぐらぐらして不安定になる。
【０００５】
これに対し、脚立の4つの足先にシリンダーおよびピストンを形成したものが特許文献1にて知られている。各シリンダーはホースと十字コックを介して連結されており、対を為す一方のピストンロッドが退入すると、他方のピストンロッドが進出する。この状態で十字コックを切り換えて、オイルの流動を阻止することにより、ピストンを固定保持できる。
【０００６】
また、上記シリンダーおよびピストンに代えて、一対の脚の先に伝動体を設けて連結し、はしご部の両側から渡した湾曲ガイドで伝導体をスライド案内されたものが特許文献2に開示されている。また、脚の出退スライド領域に臨む柱に、調整脚のスライド変位を阻止するロック機構が設けられている。伝動体は、金属ないしはプラスチック材で形成した帯状のばね板で構成されたり、密巻きされたばねないしはフレキシブル軸で形成したばね巻き回軸体で構成されている。
【特許文献１】実開平１−１５０９００号公報
【特許文献２】特開平１１−３００８７号公報
【発明の開示】
【発明が解決しようとする課題】
【０００７】
本発明は、地面などの起伏状態の如何に拠らず、迅速かつ安定的に定置させることができる脚立を提供することを目的とする。
【課題を解決するための手段】
【０００８】
床には、目で見てのでは判らないが、脚立を据えるとガタツクところが多いものである。本発明は、そうした場合に、便利な脚立、特に低段差に対応するものとして開発されたものである。
【０００９】
本発明の脚立は、一対のはしご部の一端を連結した脚立において、少なくとも一方のはしご部は、一対のガイドと、一対のガイド上端の間に固定的に渡された踏桟と、一対のガイドによりその長さ方向に摺動可能に案内された一対の脚と、踏桟に対して固定的に設けられた軸であって、該踏桟と一対のガイドがなす平面に垂直方向に伸びた軸と、軸を支点として左右に延在する回動部材と、回動部材の一端に一対の脚の一方側の摺動を作用させる手段と、回動部材他の一端が該一対の脚の他方側の摺動を作用させる手段と、踏桟と該回動部材の相対的な変異をロックするロック機構とを有する。
【発明の効果】
【００１０】
本発明によれば、地面にどの起伏状態の如何に拠らず、迅速かつ安定的に定置させることができる。
【００１１】
特に、踏桟に対して固定的に設けられた軸が支点となって、摺動する脚をシーソーの如く支えており、迅速に定置する。
よって、特許文献1の油圧シリンダーを構成要素にして調整脚したものと比べ、脚立の全体コスト、重量の点で優位である。
【００１２】
また、特許文献2の伝動体が湾曲ガイドをスライド案内させるものは、湾曲ガイドと伝動体との摩擦により、ゆすったりして定置させる必要があり、本発明の方が定置への迅速性で優位である。また、湾曲ガイドに脚立或いはその積載物の重量がかかることになり、湾曲ガイド自体の肉厚を厚くして強固にする必要があり、重量がかさむ。逆に肉厚を薄くすると変形して伝動体が摺動しにくくなる。
【００１３】
また、特許文献2では、定置させた後、ロック機構が摩擦力により脚を固定しているが、摩擦力による固定では、序々に止めるブレーキの目的には良いが、脚立のような瞬間的に力が加わるような用途には弱い。さらに、ロック機構が脚立の外側に突出している。これでは、上に乗った人が落下した場合に接触する可能性がある。
【発明を実施するための最良の形態】
【００１４】
図1は、本実施例による脚立1の斜視図である。脚立1は、2つのはしご体10、20を、夫々の上端部で軸2の回りに回動可能に結合してあり、その開きの角度により折りたたみ状態、使用状態となる。図1は使用に資する状態を表しており、掛け金具12により開きの角度が制限される。
【００１５】
はしご体10は、一対の側辺棒部材11が、上端部において連結板15を介して踏桟13と固定的に結合している。また、側辺棒部材11は、その中間部部分においても踏桟14により固定的に結合されている。
【００１６】
図2に、はしご体20の正面図および側面図を示す。はしご体20は、縦向きに延在する一対のガイド21が、その上部において連結版25を介して踏桟23と固定的に結合している。また、ガイド21は、その下端付近において踏桟24により結合されている。
ガイド21は、断面がコの字状の部材であり、その内側に長さ方向に溝が設けられ、夫々脚26上のレール35により長さ方向に摺動可能に案内している。脚26の上端には連結部材28が軸29を介して回転可能に結合され、かつ連結部材28はさらに軸30を介して回転可能に回動部材31に結合している。回動部材31は、図示の通り両端部付近において、連結部材28と回動可能に連結している。
【００１７】
一方、踏桟23には、踏桟23と一対のガイド21がなす平面に平行に背面版34が取り付けられている。背面版34には、さらに踏桟23の中心の鉛直下に垂直に突き出した軸32が設けられている。この軸31は、踏桟23に対して固定的に設けられた軸となっている。回動部材31は、その長さ中心で、軸32で支えられ自身が回転可能となっている。
【００１８】
はしご体20は、さらにロック部材33およびロック片34が設けられているが、これについては別途説明する。
【００１９】
図3に、本実施例によるはしご体20の動作を説明する。
【００２０】
左右の脚の接地面が図中Aのように平坦である場合には、先の図2に示すように一対の脚26は、軸32を通る地面に対して垂直な面に対して、左右対称な位置関係となる。
【００２１】
一方、地面に図中Bのように左側の脚の下に障害物がある場合には、左側の脚26は、それに図中イのように乗り上げる。この際、連結部材28を通して、回転部材31は、図中ハのように軸32に中心にシーソーの如く動作し、時計回りに回転する。尚、一対の脚26は、ガイド21により並行に保たれている。
【００２２】
図示していないはしご体10は、2つの側辺棒部材11が夫々接地しており、これにより、踏桟13の水平位置が定まる。一方、はしご体20側の加重Fは、軸32にかかっており、踏桟23の水平位置は、2つの側辺棒部材11の設置関係で規定されることになる。
【００２３】
さて、これらの加重が、軸32にかかっている限りにおいては、踏桟23の姿勢はさきに述べたように、2つの側辺棒部材11の設置関係で規定されているが、踏桟に人間が乗り、例えば、踏桟23の左側に加重fが加わり、加重中心が軸32からずれてしまうと、踏桟23の水平位置が変動することとなる。
【００２４】
そこで、本実施例では、図2に示すようにロック部材33及び被ロック片34とによるロック機構が設けられる。この機能は、一旦図３のように、凸凹の地面に対して、回動部材31、連結部材28、脚26の位置関係が、踏桟23に対して定まったときに、その相対的な位置関係をロックするためのものである。
【００２５】
図４に、ロック部材33を上から見た詳細を示す。ロック部材33は、回動部材31上に設置されており、レバー51、ばね部材52、軸53、ロック片54、レバーの保持片56及びロック片54を回動部材の長さ方向に案内する案内部材57からなる。
軸53は、回動部材33に設けられた軸であり、レバー51を回転自在に保持する。一対のバネ部材52は、レバー51の軸53から等距離隔てた穴に回転自在に、その一端が設置されており、他端にはロック片54が設けられている。
【００２６】
レバー51を図中ニのように時計回りに回転させると、バネ部材52が軸53から離れる方向(ホ方向)に押し出され、ロック片54の位置を外側に移動させる。
【００２７】
図2に示すように、ロック片54の外側には、踏桟から下方に伸びた被ロック片34が設けられている。レバー51を時計回りに動かすと、ロック片54は、被ロック片に接触し、かつバネ部材52によりさらに外側に付勢され、強固に固定される。両側のロック片54が、同じく両側の被ロック片34に固定されるため、左右対称に固定化されるため、安定性が高まる。さらに、ロック片54と被ロック片が、支点となる軸32よりも離れた位置に存在している。このため、ロックする作用点と支点とが離れていることになり、回動部材31の安定性をさらに高めている。
【００２８】
回動部材31には、レバー51の戻り防止のための保持片56が設けられており、通常の使用時には、レバー51は回動部材31に略並行に収まるようになる。レバー51の位置が回動部材31の位置にあり、脚立の高い位置であるため、ロックの作業性が良い。
【００２９】
なお、踏桟23と回動部材31等のロックを外すには、半時計回りに引いて、保持片56からレバー51を離脱させればよい。
【００３０】
図5に、ロック片54と被ロック片34との詳細を示す。被ロック片34は、湾曲した円柱の棒状の部材であり、ねじ山が切られている。ロック片54には、被ロック片34に設けられたねじ山に勘合するようにメスねじの山が刻まれている。被ロック片34の湾曲は、軸34を中心とした円の弧となっている。ロック片54に設けられ最下段のねじ山の延長上にねじ山ガイド58が設けられている。
【００３１】
図6はロック片54を下から見た図であり、ロック片54が、被ロック片34に勘合する様子を示している。ロック片54が、ロック状態に至る際、まず、ねじ山ガイド58が、被ロック片34の外周のねじ山に倣って、ホ方向に移動する。これにより、ロック片54の設けられたねじ山と、被ロック片34のねじ山が、山同士で衝突することが無く勘合する。
【００３２】
上記実施例では、脚26、連結部材28の2つの部材を介して、回動部材31に連結していたが、これは、軸30の位置を脚26の直上に設けていないことに起因している。これは、回動部材31が回動した場合に、被ロック部材34に接触することを避ける目的のためである。
【００３３】
もし、軸30の位置を脚26の直上に設けられるのであれば、脚26、連結部材28の2つの部材に分ける必要はない。
【００３４】
図7に、脚26と回動部材23とが直接的に軸30’により、連結されている模式図を示す。ガイド21は、図中、簡略化のため省略した。地面Bが地面Aのように平坦で無い場合には、例えば左側の脚が持ち上がるが、踏桟23は、先の実施例と同様に軸32の回りに水平に位置づけ可能であることが理解される。すなわち、図示しないはしご体10の踏桟13の水平位置に規定される姿勢となる。
【００３５】
図8に、図7に基づく実施例を示す。本実施例の脚立は、脚26と回動部材23とが直接的に軸30’により連結されている。この実施例の場合、脚26は、上下方向にスライドし、回動部材23は、回転運動することになるため、回動部材23の動きにより軸32と軸30’との間の距離が変動することになる。この変動を吸収するため、回動部材23には、軸30’が移動可能なような長円の受穴となっている。
【００３６】
本実施例のロック機構は、図9に図示するように、ロック板60を踏桟23に対して蝶番65を介して設置する。脚26の位置が定まったときに、ロック板60を下方に倒し、ロック片63を被ロック片64に勘合させて、脚26、回動部材31を踏桟23に対して固定する。
【００３７】
逆に、上記例では、連結部材を省略する例を示したが、脚と回動部材の間に多数の連結部材を入れても良い。ただし、この場合、夫々の軸周りの遊びにより不安定さが増すことに注意する必要がある。
【００３８】
上記実施例では、はしご部10は、側辺棒部材と踏桟とが固定的に連結されているものを示したが、はしご部20と同様な構成とすることも可能である。両方のはしご部のロック機構を開放の状態にし、人手で踏桟を水平に押さえた状態で、ロック機構をロック状態に設定する。この場合、機構が先に示した実施例と比べて複雑になり、かつ定置にやや手間がかかるが、踏桟を水平に設定できるという利点がある。
【００３９】
上記実施例においては、一対のはしご部がその上端において軸を設けて、回動可能にし、折りたたみ或いは使用上体の形態をとれるものとしたが、固定されていても構わない。
【図面の簡単な説明】
【００４０】
【図１】本実施例による脚立1の斜視図
【図２】はしご体20の正面図および側面図
【図３】本実施例によるはしご体20の動作を説明する図
【図４】ロック部材33の上面図
【図５】ロック片54と被ロック片34との詳細図
【図６】ロック片54の下面図
【図７】他の実施例の模式図
【図８】他の実施例を示す図
【図９】他の実施例によるロック機構の側面図
【符号の説明】
【００４１】
1      脚立
10,20      はいご体
21      ガイド
23      踏桟
26      脚
31      回動部材
33      ロック部材
34      被ロック片
【図１】
2008266918.tif 000003
【図２】
2008266918.tif 000004
【図３】
2008266918.tif 000005
【図４】
2008266918.tif 000006
【図５】
2008266918.tif 000007
【図６】
2008266918.tif 000008
【図７】
2008266918.tif 000009
【図８】
2008266918.tif 000010
【図９】
2008266918.tif 000011